(57)【要約】【課題】本考案は、複数個のＬＥＤ光源の組み合せにより時間を表示する表示部を有する時計に関し、より詳しくは、既存のディジタル時計の構成をそのまま活用し、かつ既存に数字で時間を表示していた表示部を複数個のＬＥＤ光源の組み合せにより時間を表示する表示部に取り替える時計を提供するためのものである。【解決手段】本考案は、既存のディジタル時計の一般化された時間表示方式から外れて、多様なデザインまたは形態を有する複数個のＬＥＤ光源の組み合せを用いる特異な方式により時間を表示する時計の実用化が可能であり、このように独特のデザインや特異な技術的発想に基づいた時計はファッション小品業界でも相当な競争力を有するアイテムと認められることができるので、これに対応する経済的価値も相当であることと期待される。【選択図】図１
0003149505.tif 000002
【実用新案登録請求の範囲】
【請求項１】
既存のディジタル時計の構成をそのまま活用し、かつ既存では数字で時間を表示していた表示部の代わりに複数個のＬＥＤ光源の組み合せにより時間を表示する表示部を有する時計であって、
時対応センターＬＥＤ１１０、１２０の２個、及び時対応センターＬＥＤ１２０の周辺に近接して羅列される時対応周辺ＬＥＤ１２１、１２２、１２３、１２４の４個の組み合せによって成り、時対応センターＬＥＤ１１０が発光する場合には‘１０’を意味し、時対応センターＬＥＤ１２０が発光する場合には‘５’を意味し、時対応周辺ＬＥＤ１２１、１２２、１２３、１２４が発光する場合には各々‘１’を意味することにより‘時’を表示する時対応ＬＥＤ部１００と、
分対応センターＬＥＤ２１０、２２０の２個、分対応センターＬＥＤ２１０の周辺に近接して羅列される分対応周辺ＬＥＤ２１１、２１２、２１３、２１４の４個、及び分対応センターＬＥＤ２２０の周辺に近接して羅列される分対応周辺ＬＥＤ２２１、２２２、２２３、２２４の４個の組み合せによって成り、分対応センターＬＥＤ２１０が発光する場合には‘５０’を意味し、分対応周辺ＬＥＤ２１１、２１２、２１３、２１４が発光する場合には各々‘１０’を意味し、分対応センターＬＥＤ２２０が発光する場合には‘５’を意味し、分対応周辺ＬＥＤ２２１、２２２、２２３、２２４が発光する場合には各々‘１’を意味することにより‘分’を表示する分対応ＬＥＤ部２００と、
を含んで成り、
時対応ＬＥＤ部１００及び分対応ＬＥＤ部２００が各々点滅された状態の組み合せにより時間が表示できるようにすることを特徴とする複数個のＬＥＤ光源の組み合せにより時間を表示する表示部を有する時計。
【請求項２】
分対応ＬＥＤ部２００は、時対応ＬＥＤ部１００の下方に位置し、
時対応センターＬＥＤ１２０及び時対応周辺ＬＥＤ１２１、１２２、１２３、１２４は、時対応センターＬＥＤ１１０の右方に位置し、
分対応センターＬＥＤ２２０及び分対応周辺ＬＥＤ２２１、２２２、２２３、２２４は、分対応センターＬＥＤ２１０及び分対応周辺ＬＥＤ２１１、２１２、２１３、２１４の右方に位置することを特徴とする請求項１に記載の複数個のＬＥＤ光源の組み合せにより時間を表示する表示部を有する時計。
【考案の詳細な説明】
【技術分野】
【０００１】
本考案は、複数個のＬＥＤ光源の組み合せにより時間を表示する表示部を有するディジタル時計に関するものである。
【背景技術】
【０００２】
ＬＥＤ（light emitting diode）は、半導体のｐ−ｎ接合構造を用いて注入された少数キャリア（電子、または正孔）を作り出して、これらの再結合により発光させるものであって、発光ダイオードともいう。ＬＥＤは従来の光源に比べて小型で、寿命は長く、電気エネルギーが光エネルギーに直接変換するため消費電力が少なく、効率が良い。また、高速応答であるので、自動車計器類の表示素子、光通信用光源など、各種電子機器の表示用ランプ、数字表示装置や電卓のカード読取器などに使われている。また、注入型半導体レーザーは注入密度が非常に高いＬＥＤの１つであり、反転分布が発生して干渉性光を生じるようにすることができる。
【０００３】
最近、若い世代を中心として自分だけの粋を追求する人々がたくさん増えており、彼等は服や各種装身具などに亘って他人とは差別されるイメージを有するファッション小品を好んでいる実状がある。そのうち、時計も例外ではなく、現在多様なデザインの時計が市中に流通しており、独特のデザインや特異な技術的発想に基づいた時計は非常に人気を博している。このような次元から見て、従来のディジタル時計が時間を表示するに当たって、一律的に数字を用いて時間を表示しているが、このような一般化された時間表示方法から外れて、特異な方式により時間を表示できる時計があるならば、人々の耳目を集中させるに充分である。
【考案の開示】
【考案が解決しようとする課題】
【０００４】
本考案は、上記のような問題点を解決するために案出したものであって、既存のディジタル時計の構成をそのまま活用し、かつ既存では数字で時間を表示していた表示部を複数個のＬＥＤ光源の組み合せにより時間を表示する表示部に取り替える時計を提供することをその目的とする。
【課題を解決するための手段】
【０００５】
前述した目的を達成するために本考案は、 既存のディジタル時計の構成をそのまま活用し、かつ既存では数字で時間を表示していた表示部の代わりに複数個のＬＥＤ光源の組み合せにより時間を表示する表示部を有する時計であって、時対応センターＬＥＤ１１０、１２０の２個、及び時対応センターＬＥＤ１２０の周辺に近接して羅列される時対応周辺ＬＥＤ１２１、１２２、１２３、１２４の４個の組み合せによりなされて、時対応センターＬＥＤ１１０が発光する場合には‘１０’を意味し、時対応センターＬＥＤ１２０が発光する場合には‘５’を意味し、時対応周辺ＬＥＤ１２１、１２２、１２３、１２４が発光する場合には各々‘１’を意味することにより‘時’を表示する時対応ＬＥＤ部１００と、分対応センターＬＥＤ２１０、２２０の２個、分対応センターＬＥＤ２１０の周辺に近接して羅列される分対応周辺ＬＥＤ２１１、２１２、２１３、２１４の４個、及び分対応センターＬＥＤ２２０の周辺に近接して羅列される分対応周辺ＬＥＤ２２１、２２２、２２３、２２４の４個の組み合せによりなされて、分対応センターＬＥＤ２１０が発光する場合には‘５０’を意味し、分対応周辺ＬＥＤ２１１、２１２、２１３、２１４が発光する場合には各々‘１０’を意味し、分対応センターＬＥＤ２２０が発光する場合には‘５’を意味し、分対応周辺ＬＥＤ２２１、２２２、２２３、２２４が発光する場合には各々‘１’を意味することにより‘分’を表示する分対応ＬＥＤ部２００と、を含んでなり、時対応ＬＥＤ部１００及び分対応ＬＥＤ部２００が各々点滅された状態の組み合せにより時間が表示できるようにすることを特徴とする複数個のＬＥＤ光源の組み合せにより時間を表示する表示部を有する時計を提示する。
【考案の効果】
【０００６】
本考案によると、既存のディジタル時計の一般化された時間表示方式から外れて、多様なデザインまたは形態を有する複数個のＬＥＤ光源の組み合せを用いる特異な方式により時間を表示する時計の実用化が可能であり、このように独特のデザインや特異な技術的発想に基づいた時計は、ファッション小品業界でも相当な競争力を有するアイテムと認められることができるので、これに対応する経済的価値も相当であることと期待される。
【考案を実施するための最良の形態】
【０００７】
以下、本考案の好ましい実施形態を添付の図面を参照しつつ詳細に説明する。
【０００８】
本考案に係る時計は、既存のディジタル時計の構成をそのまま活用し、かつ既存に数字で時間を表示していた時間表示ウィンドウ（以下、「表示部」という）を複数個のＬＥＤ光源の組み合せにより時間を表示する表示部に取り替えることを目的とするところ、以下では時計を構成する通常の技術的事項に対しては詳細な説明を省略し、本考案の特徴である表示部を中心として詳細に説明する。
【０００９】
本考案に係る時計の表示部は、時対応ＬＥＤ部１００及び分対応ＬＥＤ部２００が各々点滅された状態の組み合せにより時間を表示する。
【００１０】
この際、時対応ＬＥＤ部１００は点滅された状態の組み合せにより「時」を表示するＬＥＤであり、分対応ＬＥＤ部２００は点滅された状態の組み合せにより「分」を表示するＬＥＤである。
【００１１】
上記ＬＥＤは、使用状態に従い、多様なデザインまたは形態を有するものとして顕出できるが、本考案ではこのようなＬＥＤのデザインまたは形態に対しては特別に限定していない。したがって、上記ＬＥＤは、各々のサイズ、形態、及び色彩が互いに異なることができる。また、複数個のＬＥＤが集まって全体的に見て花形や星形など、統一された形態を顕出するように構成されることもできる。一方、図１では複数個のＬＥＤが集まって全体的に見て花形を顕出している状態が図示されている。
【００１２】
時対応ＬＥＤ部１００は、具体的に、時対応センターＬＥＤ１１０、１２０の２個、及び時対応センターＬＥＤ１２０の周辺に近接して羅列される時対応周辺ＬＥＤ１２１、１２２、１２３、１２４の４個の組み合せにより成る。
【００１３】
この際、時対応センターＬＥＤ１１０が発光する場合には‘１０’を意味し、時対応センターＬＥＤ１２０が発光する場合には‘５’を意味し、時対応周辺ＬＥＤ１２１、１２２、１２３、１２４が発光する場合には各々‘１’を意味する。
【００１４】
したがって、時対応センターＬＥＤ１１０、１２０、及び時対応周辺ＬＥＤ１２１、１２２、１２３、１２４が各々点滅する場合には、これらの点滅状態の組み合せに従い、下記に例示したような‘時’が表現できる。
【００１５】
即ち、‘１時’は時対応周辺ＬＥＤ１２１、１２２、１２３、１２４のうちの１個が発光する場合であり、‘２時’は時対応周辺ＬＥＤ１２１、１２２、１２３、１２４のうちの２個が発光する場合であり、‘３時’は時対応周辺ＬＥＤ１２１、１２２、１２３、１２４のうちの３個が発光する場合であり、‘４時’は時対応周辺ＬＥＤ１２１、１２２、１２３、１２４のうちの４個が発光する場合であり、‘５時’は時対応センターＬＥＤ１２０のみ発光する場合であり、‘６時’は時対応センターＬＥＤ１２０及び時対応周辺ＬＥＤ１２１、１２２、１２３、１２４のうちの１個が発光する場合であり、‘７時’は時対応センターＬＥＤ１２０及び時対応周辺ＬＥＤ１２１、１２２、１２３、１２４のうちの２個が発光する場合であり、‘８時’は時対応センターＬＥＤ１２０及び時対応周辺ＬＥＤ１２１、１２２、１２３、１２４のうちの３個が発光する場合であり、‘９時’は時対応センターＬＥＤ１２０及び時対応周辺ＬＥＤ１２１、１２２、１２３、１２４のうちの４個が発光する場合であり、‘１０時’は時対応センターＬＥＤ１１０のみ発光する場合であり、‘１１時’は時対応センターＬＥＤ１１０及び時対応周辺ＬＥＤ１２１、１２２、１２３、１２４のうちの１個が発光する場合であり、‘１２時’は時対応センターＬＥＤ１１０及び時対応周辺ＬＥＤ１２１、１２２、１２３、１２４のうちの２個が発光する場合である。
【００１６】
そして、‘１２時’が過ぎて‘１時’になる場合には、また時対応周辺ＬＥＤ１２１、１２２、１２３、１２４のうちの１個のみが発光することによって‘１時’であることを表示する。
【００１７】
分対応ＬＥＤ部２００は、具体的に、分対応センターＬＥＤ２１０、２２０の２個、分対応センターＬＥＤ２１０の周辺に近接して羅列される分対応周辺ＬＥＤ２１１、２１２、２１３、２１４の４個、及び分対応センターＬＥＤ２２０の周辺に近接して羅列される分対応周辺ＬＥＤ２２１、２２２、２２３、２２４の４個の組み合せにより成る。
【００１８】
この際、分対応センターＬＥＤ２１０が発光する場合には‘５０’を意味し、分対応周辺ＬＥＤ２１１、２１２、２１３、２１４が発光する場合には各々‘１０’を意味し、分対応センターＬＥＤ２２０が発光する場合には‘５’を意味し、分対応周辺ＬＥＤ２２１、２２２、２２３、２２４が発光する場合には各々‘１’を意味する。
【００１９】
したがって、分対応センターＬＥＤ２１０、２２０、及び分対応周辺ＬＥＤ２１１、２１２、２１３、２１４、２２１、２２２、２２３、２２４が各々点滅する場合には、これらの点滅状態の組み合せに従い、下記に例示したような‘分’が表現できる。
【００２０】
即ち、‘１分’は、分対応周辺ＬＥＤ２２１、２２２、２２３、２２４のうちの１個が発光する場合であり、‘２分’は、分対応周辺ＬＥＤ２２１、２２２、２２３、２２４のうちの２個が発光する場合であり、‘５分’は、分対応センターＬＥＤ２２０のみ発光する場合であり、‘７分’は、分対応センターＬＥＤ２２０、及び分対応周辺ＬＥＤ２２１、２２２、２２３、２２４のうちの２個が発光する場合であり、‘９分’は、分対応センターＬＥＤ２２０、及び分対応周辺ＬＥＤ２２１、２２２、２２３、２２４のうちの４個が発光する場合であり、‘１０分’は、分対応周辺ＬＥＤ２１１、２１２、２１３、２１４のうちの１個が発光する場合であり、‘２０分’は、分対応周辺ＬＥＤ２１１、２１２、２１３、２１４のうちの２個が発光する場合であり、‘５０分’は、分対応センターＬＥＤ２１０のみ発光する場合であり、‘５１分’は、分対応センターＬＥＤ２１０、及び分対応周辺ＬＥＤ２２１、２２２、２２３、２２４のうちの１個が発光する場合であり、‘５５分’は、分対応センターＬＥＤ２１０、及び分対応センターＬＥＤ２２０が発光する場合であり、‘５９分’は、分対応センターＬＥＤ２１０、分対応センターＬＥＤ２２０、及び分対応周辺ＬＥＤ２２１、２２２、２２３、２２４のうちの４個が発光する場合である。
【００２１】
そして、‘５９分’が過ぎて‘６０分’になる瞬間には、分対応センターＬＥＤ２１０、２２０及び分対応周辺ＬＥＤ２１１、２１２、２１３、２１４、２２１、２２２、２２３、２２４が全て消えて、時対応周辺ＬＥＤ１２１、１２２、１２３、１２４のうちの１個がさらに発光することによって１時間が経過したことを表示する。
【００２２】
したがって、時対応センターＬＥＤ１１０、１２０、時対応周辺ＬＥＤ１２１、１２２、１２３、１２４、分対応センターＬＥＤ２１０、２２０、及び分対応周辺ＬＥＤ２１１、２１２、２１３、２１４、２２１、２２２、２２３、２２４が各々点滅する場合には、これらの点滅状態の組み合せに従い、下記に例示したような‘時’と‘分’が結合された最終の現在時刻を表現することができる。
【００２３】
即ち、‘１時１分’は、時対応周辺ＬＥＤ１２１、１２２、１２３、１２４のうちの１個、及び分対応周辺ＬＥＤ２２１、２２２、２２３、２２４のうちの１個が発光する場合であり、‘３時１６分’は、時対応周辺ＬＥＤ１２１、１２２、１２３、１２４のうちの３個、分対応周辺ＬＥＤ２１１、２１２、２１３、２１４のうちの１個、分対応センターＬＥＤ２２０、及び分対応周辺ＬＥＤ２２１、２２２、２２３、２２４のうちの１個が発光する場合であり、‘８時５７分’は、時対応センターＬＥＤ１２０、時対応周辺ＬＥＤ１２１、１２２、１２３、１２４のうちの３個、分対応センターＬＥＤ２１０、分対応センターＬＥＤ２２０、及び分対応周辺ＬＥＤ２２１、２２２、２２３、２２４のうちの２個が発光する場合であり、‘１２時４８分’は、時対応センターＬＥＤ１１０、時対応周辺ＬＥＤ１２１、１２２、１２３、１２４のうちの２個、分対応周辺ＬＥＤ２１１、２１２、２１３、２１４のうちの４個、分対応センターＬＥＤ２２０、及び分対応周辺ＬＥＤ２２１、２２２、２２３、２２４のうちの３個が発光する場合である。
【００２４】
図２Ａでは‘１時１分’、図２Ｂでは‘３時１６分’、図２Ｃでは‘８時５７分’、図２Ｄでは‘１２時４８分’の状態が図示されている。
【００２５】
一方、本考案では、分対応ＬＥＤ部２００と時対応ＬＥＤ部１００の位置に対して特別に限定してはいないが、時計の使用者が時間を容易に認知できるようにするために、図１に示すように、分対応ＬＥＤ部２００は時対応ＬＥＤ部１００の下方に位置し、時対応センターＬＥＤ１２０及び時対応周辺ＬＥＤ１２１、１２２、１２３、１２４は時対応センターＬＥＤ１１０の右方に位置し、分対応センターＬＥＤ２２０及び分対応周辺ＬＥＤ２２１、２２２、２２３、２２４は分対応センターＬＥＤ２１０及び分対応周辺ＬＥＤ２１１、２１２、２１３、２１４の右方に位置することが好ましい。
【図面の簡単な説明】
【００２６】
【図１】本考案に係る時計の表示部を示す図である。
【図２Ａ】本考案に係る時計の表示部により多様な‘時刻’が表示される形態を示す図である。
【図２Ｂ】本考案に係る時計の表示部により多様な‘時刻’が表示される形態を示す図である。
【図２Ｃ】本考案に係る時計の表示部により多様な‘時刻’が表示される形態を示す図である。
【図２Ｄ】本考案に係る時計の表示部により多様な‘時刻’が表示される形態を示す図である。
【符号の説明】
【００２７】
１１０、１２０      時対応センターＬＥＤ
１２１、１２２、１２３、１２４      時対応周辺ＬＥＤ
２１０、２２０      分対応センターＬＥＤ
２１１、２１２、２１３、２１４、２２１、２２２、２２３、２２４    分対応周辺ＬＥＤ
【図１】
0003149505.tif 000003
【図２Ａ】
0003149505.tif 000004
【図２Ｂ】
0003149505.tif 000005
【図２Ｃ】
0003149505.tif 000006
【図２Ｄ】
0003149505.tif 000007
【手続補正書】
【提出日】平成21年1月26日(2009.1.26)
【手続補正１】
【補正対象書類名】実用新案登録請求の範囲
【補正対象項目名】請求項１
【補正方法】変更
【補正の内容】
【請求項１】
複数個のＬＥＤ光源の組み合せにより時間を表示する表示部を有する時計であって、
時対応センターＬＥＤ１１０、１２０の２個、及び時対応センターＬＥＤ１２０の周辺に近接して羅列される時対応周辺ＬＥＤ１２１、１２２、１２３、１２４の４個の組み合せによって成り、時対応センターＬＥＤ１１０が発光する場合には‘１０’を意味し、時対応センターＬＥＤ１２０が発光する場合には‘５’を意味し、時対応周辺ＬＥＤ１２１、１２２、１２３、１２４が発光する場合には各々‘１’を意味することにより‘時’を表示する時対応ＬＥＤ部１００と、
分対応センターＬＥＤ２１０、２２０の２個、分対応センターＬＥＤ２１０の周辺に近接して羅列される分対応周辺ＬＥＤ２１１、２１２、２１３、２１４の４個、及び分対応センターＬＥＤ２２０の周辺に近接して羅列される分対応周辺ＬＥＤ２２１、２２２、２２３、２２４の４個の組み合せによって成り、分対応センターＬＥＤ２１０が発光する場合には‘５０’を意味し、分対応周辺ＬＥＤ２１１、２１２、２１３、２１４が発光する場合には各々‘１０’を意味し、分対応センターＬＥＤ２２０が発光する場合には‘５’を意味し、分対応周辺ＬＥＤ２２１、２２２、２２３、２２４が発光する場合には各々‘１’を意味することにより‘分’を表示する分対応ＬＥＤ部２００と、
を含んで成り、
時対応ＬＥＤ部１００及び分対応ＬＥＤ部２００が各々点滅された状態の組み合せにより時間が表示できるようにすることを特徴とする複数個のＬＥＤ光源の組み合せにより時間を表示する表示部を有する時計。